(57)【要約】【課題】  この発明は、風力ダムとして支持枠体を構築し、これに羽根を多段に配した縦主軸を配設して、風力を１っに集め、風車の設置面積当りの受風面積を飛躍的に増大させ、半面、小型軽量化で設置コストを極端に減少させることの出来る、縦軸風車を提供することを目的としている。【解決手段】  支持枠体４の軸配設部4aに配設された縦主軸５の１本に、縦長の羽根１０が、その左側面を縦主軸５に対面させて、上下複数段状に配設された風車であって、各羽根１０は上下端部に左側を向く傾斜部10aが形成され、羽根１０の平面位相は、上段部から下段部へかけて順次、等角度ずつ回転一方向へ変位されて、全体として平面で、主軸５周りに羽根１０が等間隔で配設されている、縦軸風車１。【選択図】    図１
2006017011.tif 000002
【特許請求の範囲】
【請求項１】
支持枠体の軸配設部に配設された縦主軸の１本に、上下複数段状に縦長の羽根が配設された風車において、各段における羽根は１枚とし、その左側面を縦主軸に対面して配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されていることを特徴とする縦軸風車。
【請求項２】
前記１枚羽根の弦長は、羽根の回転半径の５０％〜６０％に相当する長さの範囲に設定されていることを特徴とする、請求項１に記載された縦軸風車。
【請求項３】
支持枠体の軸配設部に配設された縦主軸の１本に、上下複数段状に縦長の羽根が配設された風車において、各段における羽根は２枚とし、その左側面を主軸に対面して対称に配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されていることを特徴とする縦軸風車。
【請求項４】
前記羽根の弦長は、羽根の回転半径の４０％〜５０％に相当する範囲の長さであることを特徴とする請求項３に記載された縦軸風車。
【請求項５】
前記縦主軸は、長手中間を中間軸受で支持されて、上下軸受の間に羽根が配設されていることを特徴とする、請求項１〜４のいずれかに記載された縦軸風車。    
【請求項６】
前記縦主軸は、軸受けされる近傍を除いて、表面に補強体が被着されていることを特徴とする、請求項１〜５の何れかに記載された縦軸風車。
【請求項７】
複数の支柱で構成される支持枠体に、水平方向で複数の軸配設部が形成され、各軸配設部に配設された各縦主軸に、縦長の羽根が、その左側面を縦主軸に対面させて、上下複数段状に配設され１っに構成された風車であって、羽根は、上下端部に左側を向く傾斜部が形成され、羽根の平面位相は、上段部から下段部へかけて順次、等角度ずつ回転一方向へ変位されて、同一縦主軸における全体平面で、主軸回りに羽根が等間隔で配設されていることを特徴とする縦軸風車。
【請求項８】
前記支持枠体の、水平方向で複数の縦主軸が配設された風車において、隣接する縦主軸同士における、複数段状に配設される羽根は、隣同士で配設位置の段数が異なることを特徴とする、請求項７に記載された縦軸風車。    
【請求項９】
前記支持枠体に、水平方向で複数の縦主軸が配設された風車において、左右方向に複数並列される縦主軸は、左右に隣接する交互に、平面位相を前後に違差させて配設されたことを特徴とする、請求項７に記載された縦軸風車。
【請求項１０】
縦軸風車の縦主軸であって、軸受される近傍部分を除いて、縦主軸の表面に、補強体が被着一体に形成されていることを特徴とする、風車の縦主軸。
【請求項１１】
縦軸風車の縦主軸であって、上端部に嵌合突部が形成され、下端部に、嵌合凹部が形成され、別体の縦主軸の嵌合凹部に、こちらの嵌合突部を嵌合させて、上下に長く連結するように構成されたことを特徴とする、風車の縦主軸。
【請求項１２】
縦軸風車の縦主軸であって、長手両端部に嵌合部が形成され、該嵌合部に、別体の連結軸の一端部が嵌合連結され、該連結軸を介して長手方向に複数の縦主軸が連結可能に構成されたことを特徴とする、風車の縦主軸。
【発明の詳細な説明】
【技術分野】
【０００１】
本発明は、縦軸風車並びに縦主軸に係り、特に、風力ダムとしての支持枠体を構築して、多数の羽根を配設して受風率をたかめ、一定の設置面積における受風面積と、受風力が大きく、設置コストが低廉で、一定面積当りの発電総量の大きな風力発電機とすることが出来る縦軸風車と、これに使用される縦主軸に関する。
【背景技術】
【０００２】
従来、風力発電機の風車として、縦軸風車は風力の回収率が悪いとされて、利用されていない。これは、縦主軸の周囲に複数の羽根が配設され、縦主軸の片側方の羽根で風を受けて回転するとき、他側方にある羽根は風の抵抗を受けて、回転力が相殺されるためとされている。また１枚羽根は軸トルクが弱く実用性がないとされている。
【発明の開示】
【発明が解決しようとする課題】
【０００３】
プロペラ式風力発電機は、支柱の設置面積は小さくても、プロペラの長さが、３０ｍとか５０ｍというのも普通であり、その下の土地の使用面積は大きなものとなっている。
縦軸風車も、回転半径が大きくなれば、使用される土地面積は大きくなる。それら土地の購入費、使用料などは、発電採算上で、大きなコスト負担となる。
【０００４】
更に、大きな風力発電機の設置には、風況の良い場所が必要となり、その場所までの道路建設、設置場所での建設、発電された電力の回収等、投下資本が大きくかかり、それらの費用は、電力採算に大きく影響している。
【０００５】
この発明は、風車の設置面積当りの受風面積を飛躍的に増大させ、半面、小型軽量化で設置コストを極端に減少させることの出来る、風力発電機にも適している縦軸風車を提供することを目的としている。
【０００６】
この発明は、前記課題を解決し目的を達成するために、羽根を１本の縦主軸に、上下へ複数配設した。これを水平方向へ複数連結させた。発明の具体的な内容は次の通りである。
【０００７】
(1)  支持枠体の軸配設部に配設された縦主軸の１本に、上下複数段状に縦長の羽根が配設された風車において、各段における羽根は１枚とし、その左側面を主軸に対面して配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されている縦軸風車。  
【０００８】
(2)  前記１枚羽根の弦長は、羽根の回転半径の５０％〜６０％に相当する長さの範囲に設定されている、前記(1)に記載された縦軸風車。
【０００９】
(3)  支持枠体の軸配設部に配設された縦主軸の１本に、上下複数段状に縦長の羽根が配設された風車において、各段における羽根は２枚とし、その左側面を主軸に対面して対称に配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されている縦軸風車。
【００１０】
(4)  前記羽根の弦長は、羽根の回転半径の４０％〜５０％に相当する長さの範囲に設定されている、前記(3)に記載された縦軸風車。
【００１１】
(5)  前記縦主軸は、長手中間を中間軸受で支持されて、上下軸受の間に羽根が配設されている、前記(1)〜(4)のいずれかに記載された縦軸風車。  
【００１２】
(6)  前記縦主軸は、軸受けされる近傍を除いて、表面に補強体が被着されている、前記(1)〜(5)の何れかに記載された縦軸風車。
【００１３】
(7)  複数の支柱で構成される支持枠体に、水平方向で複数の軸配設部が形成され、各軸配設部に配設された各縦主軸に、縦長の羽根が、その左側面を縦主軸に対面させて、上下複数段状に配設され１っに構成されている風車であって、羽根は、上下端部に左側を向く傾斜部が形成され、羽根の平面位相は、上段部から下段部へかけて順次、等角度ずつ回転一方向へ変位されて、同一主軸における全体平面で、主軸回りに羽根が等間隔で配設されている縦軸風車。
【００１４】
(8)  前記支持枠体の、水平方向で複数の縦主軸が配設された風車において、隣接する縦主軸同士における、複数段状に配設される羽根は、隣同士で配設位置の段数が異なる、前記(7)に記載された縦軸風車。    
【００１５】
(9)  前記支持枠体に、水平方向で複数の縦主軸が配設された風車において、左右方向に複数並列される縦主軸は、左右に隣接する交互に、平面位相を前後に違差させて配設された、前記(７)に記載された縦軸風車。
【００１６】
(10)  縦軸風車の縦主軸であって、軸受される近傍部分を除いて、縦主軸の表面に、補強体が被着一体に形成されている、風車の縦主軸。
【００１７】
(11)  縦軸風車の縦主軸であって、上端部に嵌合突部が形成され、下端部に、嵌合凹部が形成され、別体の縦主軸の嵌合凹部に、こちらの嵌合突部を嵌合させて、上下に長く連結するように構成された、風車の縦主軸。
【００１８】
(12)  縦軸風車の縦主軸であって、長手両端部に嵌合部が形成され、該嵌合部に、別体の連結軸の一端部が嵌合連結され、該連結軸を介して長手方向に複数の縦主軸が連結可能に構成された、風車の縦主軸。
【発明の効果】
【００１９】
本発明によると次のような効果がある。
【００２０】
(1)  請求項１に記載された発明の縦軸風車は、縦主軸１本に、縦長の羽根が、各段につき１枚で、上下複数段状に配設されているので、設置面積当りの出力は、１段における羽根の回転トルク×段数分となり、１本の縦主軸に対して大きな回転力を得ることができる。
風車の羽根は、１枚の方が回転速度が上るが、受風面積が狭く、軸トルクは出ないため、単独では実用性がないが、多段状に配設したことにより、各段において回転効率が良く、かつ、先行回転する羽根による乱気流の影響を受け難い。
各羽根の平面位相は、上段部から下段部へかけて順次、等角度ずつ回転一方向へ変位させて、全体として平面で、主軸回りに羽根が等間隔で配設されているので、風車全体としては、全方向の風を得ることが出来る。更に上下の異なった風流を得て回転力とすることができる。上下何れかの羽根に風力を得て回転するとき、他の羽根は他力による回転をして、羽根の形状（翼型）による特性から、自走揚力（回転推力）が生じるため、風抵抗を凌ぐことになる。
特に羽根の上下端部に傾斜部が形成されているので、羽根左側面に当って、抵抗の小さな上下方に逃げる風が、傾斜部で遮られ、羽根を外方へ押すことから、回転効率が高まる。これを風力発電機に利用するとき、効率の良い風力発電機とすることができる。
羽根を多段に配設することにより、羽根単体の縦長さを小さくすることができ、搬送や組立が簡便になり、羽根を多段に配設したことによって、風車の設置面積は小さくても、大型羽根を使用したこと以上の効果が得られる。
支持枠体は、複数の支柱で構成され、支柱で縦主軸全体の負荷を支持するものではないので、剪断負荷に絶えられる範囲の細い支柱を使用して、剛性のある支持枠体とすることができる。運搬や組立などの作業性とコストにも優れ、かつ風力発電機としての設置コスト、並びに発電コストを軽減することができる。また支持枠体は羽根の外に位置しているため、羽根の回転、風圧などに対しても、揺れ、振動が生じにくい。
【００２１】
(2)  請求項２に記載された発明の縦軸風車は、羽根の弦長が羽根の回転半径の５０％〜６０％相当の長さの範囲に設定されている。これは縦軸風車の縦長羽根の弦長としては大きなものであるが、この発明の構成における一枚羽根は、ここまで大きくしても、風力が弱まって来たときにも急激な失速は生じず、低速回転において強い回転トルクを得ることができる。
【００２２】
(3)  請求項３に記載された発明の縦軸風車は、縦主軸を挟んで対称に羽根２枚が配設され、これが多段に配設されているので、それぞれの段において１枚羽根よりも回転効率が下るが、回転安定性が高く、全体として回転効率の良い風車となる。その余は請求項１のものと同じである。  
【００２３】
(4)  請求項４に記載された発明の縦軸風車は、２枚羽根であるため、１枚羽根よりも弦長を狭くしなければ、回転効率が低下する。しかし、細幅では、弱風になった時に回転トルクが低下する。一方で弦長が長過ぎても風抵抗が大きいが、本発明においては、羽根の弦長を羽根の回転半径の４０％〜５０％相当の長さの範囲にまで大きくしても、効率良い回転トルクを得ることができる。
【００２４】
(5)  請求項５に記載された発明の縦軸風車は、縦主軸の中間を中間軸受で支持するので、縦主軸が長く細いものであっても、屈曲し難く、羽根の多段配設を有利に設定することができる。
【００２５】
(6)  請求項６に記載された発明の縦軸風車は、縦主軸に補強体が被着されているので、縦主軸が細く長いものでも、剛性に優れている。特に補強体をＦＲＰ成形体や軽合金型材を使用するとき、主軸を細くし、全体を軽量化することが出来るので、羽根の多段配設が負担にならず、回転効率を高めることが出来る。
【００２６】
(7)  請求項７に記載された縦軸風車は、１っの支持枠体に、水平方向で複数の軸配設部が形成され、それぞれに縦主軸が支持されている。
この支持枠体は、大きな風力ダムとして作用し、１っの支持枠体に集まる風力は、各縦主軸に上下複数段状に配設されている羽根を回転させ、その大きな力の集合体として、各縦主軸に連結される発電機を回転させて、１っの支持枠体全体で１っの風車となり、大容量の発電をする１っの風力発電機となる。
例えば１本の縦主軸に羽根が１０段で、水平方向に１０連なら、羽根の受風面積は１００個分になる。このことは、１っの支持枠体が１っの風力ダムの作用をし、風力ダムに集合された風力が、全ての縦主軸を回転させて、発電をさせる。
水平方向で複数の軸配設部が形成される支持枠体は、全体として面積が広くなり、細い支柱などの組合せで形成することが出来るので、設置コストは小さく、台風や地震に対して強い剛性が維持出来る。
風車の後方は無風状態になるので、風の強い場所に支持枠体が配設されると、発電効率はよく、かつ防風林のような役割をさせることができる。
【００２７】
(8)   請求項８に記載された発明の縦軸風車は、隣同士で羽根の配設段位が異なるので、各羽根に対する通風性に優れており、回転時における乱気流の影響が生じ難い。
特に凹凸のある地理において、複数の軸配設部を設定する場合にも、地理に適合させて縦軸風車を設置することができる。
【００２８】
(9)  請求項９に記載された発明の縦軸風車は、左右に並列する縦主軸が交互に、前後に平面位相を違差されているので、風向きに対して複数重なることによる、部分的な受風力の低下を、回避することが出来る。
すなわち東西に長く支持枠体を設定した場合、東西からの風は支持枠体の東西に抜けるので、一部の羽根に風が当りにくくなるが、上記構成なら、風通しが良好となり、風力を有効に利用することができる。        
【００２９】
(10)  請求項10に記載された発明の縦主軸は、縦主軸の表面に、軸受される近傍を除いて、補強体が被着一体に形成されているので、長い金属主軸が細くても、回転時において遠心力や風圧により、縦主軸が曲折されることがない。
補強体を使用する事によって、金属の縦主軸を細いものとすることができる。補強体に、例えばＦＲＰやアルミニウムの型材が使用されると、全体として縦主軸を軽量化することが出来る。これによって、羽根の多段配設を容易にすることができる。
【００３０】
(11)  請求項１１に記載された発明の縦主軸は、短尺の軸を縦に複数連結することが出来るため、搬送が容易で、支持枠体の組立作業性、並びに、羽根を縦に複数配設する作業性に優れている。
【００３１】
(12)  請求項１２に記載された発明の縦主軸は、短尺の縦主軸を、連結軸を介して複数連結する事が出来るので、組立の作業性、運搬の容易性などに優れている。また連結軸を細くすることによって、小型な軸受を使用することができて、摩擦面積を小さくして、回転効率を高くすることができる。
【発明を実施するための最良の形態】
【００３２】
支持枠体に配設された縦主軸の１本に、複数の羽根を上下複数段状に、かつ平面位相を均等間隔で配設する。この縦主軸を１っの支持枠体に、水平方向に複数配設して、１っの風車とする。
【実施例１】
【００３３】
本願発明の実施の形態例を、図面を参照して説明する。図１は本発明に係る実施例１の縦軸風車の要部正面図、図２は縦軸風車の羽根の平面位相を示す要部平面図である。
図における支持枠体(4)は、中間の固定アームや筋交材などの図示が、省略されているものである。支持枠体(4)の基端部は、図示しないコンクリート基盤に固定される。
【００３４】
図１において、縦軸風車(1)は、複数の支柱(2)と固定アーム(3)とで構成された、支持枠体(4)の内側に、軸配設部(4a)が形成されている。
該軸配設部(4a)に、縦主軸(5)が、上下の軸受(6)により、垂直で回転自在に支持されている。支柱(2)は、管材、Ｌ型材、Ｈ型材、コ型材、等を使用することができる。また短尺のものを複数連結するようにすることができる。
【００３５】
図１における基台(7)は箱形で、内部には、縦主軸(5)の下端部を支持する、図示しない軸受が配設されている。また基台(7)の中に、図示しない発電器を、縦主軸(5)に任意の伝動手段を介して連結配設すると、支持枠体(4)全体として風力発電機となる。
【００３６】
縦主軸(5)には、上下に複数の固定体(8)が固定されている。固定体(8)の形状は、例えば円盤状で、中央に孔が形成され、縦主軸(5)に外嵌して固定される他、左右２っ割として、縦主軸(5)の左右から左右片を押し当てて、ネジ止めするようにすることができる。
【００３７】
前記固定体(8)は、上下１組として、図１では定間隔で４段に配設されている。各１組の固定体(8)毎に、それぞれ上下１セットの支持アーム(9)が、上下平行に配設されて、その基端部は、固定体(8)にネジ止される。各上下１セットの支持アーム(9)の上下間隔は、羽根(10)の背丈によって予め決定される。
なお、支持アーム(9)が上下３本使用される時は、固定体(8)も３個１セットで使用される。
【００３８】
前記各支持アーム(9)の先端部の向きは、上段から下段にかけて、それぞれ１セット毎に異なり、図２に示すように、最上段の支持アーム(9a)は、正面方向を向いている。２段目の支持アーム(9b)は、回転一方向（Ａ矢示）へ、９０度ほど変向して配設されている。
【００３９】
３段目の支持アーム(9c)は、更に回転一方向へ９０度変向して配設され、４段目の支持アーム(9d)も、９０度ほど回転一方向へ変向して配設される。この回転一方向は、左回りでも、右回りでもかまわない。
【００４０】
これにより、最上段の支持アーム(9a)から、最下段の支持アーム(9d)までの、変向角度の合計は、９０度の４段階変更の合計で３６０度になり、図２に示すように、各支持アーム(9a)〜(9d)は、平面位相で９０度の均等間隔で配設されている。
【００４１】
図１において、各上下１セットの、各支持アーム(9a)〜(9d)の先端部には、それぞれ縦長の羽根(10)が、正面図における左側面（回転時の内側面）を縦主軸(5)に対面させて、垂直に固定されている。支持アーム(9a)〜(9d)と羽根(10)との固定方法は、羽根(10)の大きさ、重量等から、ネジ止め、接着、ＦＲＰの一体固定など、適宜選択される。
【００４２】
支持アーム(9)は、羽根(10)を支持出来る剛性があり、風抵抗にならないような形状にする。図示の支持アーム(9a)〜(9d)は、例えば板厚５ミリ程度のＦＲＰの板で形成されている。
これは、羽根(10)の重量が軽量なためである。
【００４３】
羽根(10)は、軽量を要求されるので、硬質発泡樹脂成形体を一体に成形したコアに、ＦＲＰ外層を一体成形したもの等が使用される。芯部に骨材を形成することができる。
羽根の大きさは、例えば背丈１００ｃｍ〜１８０ｃｍ、厚み４ｃｍ〜６ｃｍで、弦長は回転半径と羽根の枚数によって変化させる。１枚羽根の場合の弦長は、半径の５０〜６５％、２枚羽根の場合の弦長は、半径の３５〜５０％の範囲で設定される。
【００４４】
羽根(10)は、正面において上下端部が、左側方向へ傾斜して、傾斜部(10a)が形成されている。この傾斜角度は、４５度より大きいと風の抜けが低下する。傾斜角度が小さすぎると風の回収率が低下する。従って好ましい角度は３０度〜４５度である。
【００４５】
羽根(10)の横断面形状は、右側面（回転時の外側面）は、羽根(10)の回転トラックの曲線に沿っており、左側面は前部に膨出部が形成されている。これによって、羽根の右側面（外側面）は回転時における風抵抗が小さい。また膨出部は、羽根の外側面側より内側面側の風速を高めて揚力を生じさせるので、羽根が他の羽根に受けた風力で回転しているときに自走回転をする。
【００４６】
図１において、縦主軸(5)の背丈は、例えば７ｍで、その外面には、軸受される近傍を除いて、補強体(5a)が被着されている。該補強体(5a)は、例えばＦＲＰ成形体、アルミニウム型材の単体、あるいは組合せなどが使用される。
【００４７】
該補強体(5a)は、図１に示すように、固定体(8)をも、外から被覆するようにすることによって、支持アーム(9a)〜(9d)の固定部等の、耐候性を高めることができる。
この場合、補強体(5a)の成形体と成形体の接続部を、軟質のＦＲＰ樹脂で充填して硬化成形させて、結合させることができる。
【００４８】
以上のように構成された、この縦軸風車(1)は、羽根(10)の背丈が、例えば１ｍの小さなものであっても、例えば７ｍの縦主軸(5)に、４段状に配設されることによって、４枚羽根の縦軸風車として、広い受風面積をもち、回転すると強い軸トルクを得ることができる。
【００４９】
各段における羽根(10)は、１枚羽根なので、縦主軸(5)の同水準反対側での風抵抗がなく、回転効率が高い。そして、瞬時にして向きの変る風に対しても、各段における羽根(10)の向きが、それぞれ９０度変向しているので、自動車の４気筒エンジンのように、スムースでかつ連続した風力の付勢により、強い軸トルクを得ることができる。
【００５０】
この場合、１っの羽根に風力を受けて回転するとき、風力を抵抗として受ける他の羽根は、他力で回転しており、その場合前述した羽根の形状による揚力により、自走推力が生じて回転する。
【００５１】
また、高さが高い縦主軸(5)が使用されるので、重量低下をさせるためには、剪断荷重に耐えられる範囲で、細い軸が使用される。その結果としては、回転時における遠心力と、羽根(10)に受ける風圧とによって、細い縦主軸(5)は屈曲するが、軽量で剛性のあるＦＲＰや、アルミニウム等軽量合金の補強体(5a)が、縦主軸(5)の外面に被着一体とされることによって、縦主軸(5)が回転時に屈曲しない。またＦＲＰは軽量に成形することができるので、縦主軸(5)全体を軽量なものとすることができ、回転効率を高める。
【００５２】
この実施例１において、羽根(10)は４段に配設されているが、例えば縦主軸(5)を３段重ねの長さにした状態で、羽根(10)を１２段に配設することができる。
また、縦主軸(5)を短くして、羽根(10)を３段、６段などに配設することができる。その場合、上下の羽根(10)の背丈を、長短に変化させることができる。各段における１枚羽根は、弦長を長くする事によって、大きな軸トルクを生むことができる。
【００５３】
羽根(10)の弦長は、羽根(10)の回転半径によって変化し、回転半径において、例えば、羽根(10)の弦長は羽根(10)の回転半径の約５０％〜６０％相当の長さの範囲、すなわち羽根(10)の回転半径が１ｍのとき、弦長５０ｃｍ〜６０ｃｍまでの範囲にまで＜大きくすることが出来る。
羽根(10)の弦長が狭い場合は、回転速度はあがるが、軸トルクは弱い。従って回転速度が出ても、弱風に変わると減退して軸トルクが著しく低下するが、前記のように弦長を大きくしておくと、弱風でも低速回転で軸トルクが大きい。
【００５４】
羽根(10)の回転に伴い、流体の粘性により、空気は羽根(10)の側面に着いて回転する。その結果、羽根(10)の回転トラック内に入る風流は、抵抗の小さな羽根の上下方向へと流れるが、羽根(10)の左側面（内側面）上下端部に、傾斜部(10a)が形成されていると、上下方向へ流れようとする気流は、傾斜部(10a)で阻まれて、羽根(10)を回転方向へ押すので、傾斜部(10a)が形成されている羽根(10)の回転効率は、傾斜部(10a)が形成されていないものに比して５％〜２０％よい。
【実施例２】
【００５５】
図３は、本願発明の実施例２を示す、縦軸風車の要部正面図、図４は要部平面図である。前例と同じ部位には、同じ符号を付して、説明を省略する。  
図における支持枠体(4)は、中間の固定アームや筋交材などの図示が、省略されているものである。
【００５６】
図３において、縦主軸(5)は、複数の中間軸受(66)で、縦の中間部が支持されている。各中間軸受(66)は、支柱(2)間に架設される、固定アーム(3)によって固定される。
これによって、縦主軸(5)は、全体として屈曲し難くなり、それだけ、金属の縦主軸(5)を剪断荷重に耐えられる範囲で細く、軽量にすることが可能になった。また、縦主軸(5)の外面には、軸受される近傍部を除いて補強体(5a)が被着されることによって、金属の縦主軸(5)をより細く、軽量化することができる。
【００５７】
図３において、上下各段の羽根(10)は、縦主軸(5)を挟んで相対するように、２枚の羽根(10)が配設されている。
羽根(10)が２枚の場合には、羽根(10)の弦長（前後幅）を、１枚羽根よりも相対的に小さくする方が、風抵抗に対して有利になる。
従って、例えば羽根(10)の回転半径が１ｍの場合、最大でその半径の４０％〜５０％相当の弦長に設定されることが好ましい。
【００５８】
各同一水準における支持アーム(9a)〜(9e)は、それぞれ同一の放射線上に設定されている。これによって、回転時に同一水準における２枚の羽根(10)は、回転バランスが良いので、風車(1)全体においても回転バランスが良くなる。
【００５９】
上下段における、支持アーム(9a)〜(9e)の平面位相は、図４に示すように、最上段の支持アーム(9a)は、左右方向を向いて配設されている。２段目の支持アーム(9b)は、回転方向（Ａ矢示）へ７２度変更した位置に配設されている。
【００６０】
３段目の支持アーム(9c)は、更に、回転方向へ７２度変向された位置に配設されている。以下４段目、５段目の支持アーム(9d)(9e)も、それぞれ７２度ずつ回転方向へ変向された位置に配設されている。
【００６１】
これによって、上から見る支持アーム(9a)〜(9e)の平面位相は、図４に示すように、回転方向へ３６度ずつ(9a)、(9d)、(9b)、(9e)、(9c)、(9a)、(9d)、(9b)、(9e)、(9c)という順に、変向した配列に設定されている。
【００６２】
以上のように構成された、この実施例２の縦軸風車(1)においては、羽根(10)の枚数が合計で１０枚になり、受風面積を大きくすることができるので、強い軸トルクを得ることができる。特に、同一設置面積における風車(1)の受風面積は、羽根(10)が１段のものに比して、５段に配設されていると５倍と、圧倒的に大きくなり、それだけ性能の良い風車となる。
【００６３】
また、図４に示すように、羽根(10)の平面位相は、回転方向へ３６度ずつ変位しているので、瞬時に向きを変化させる風に対しても、いずれかの羽根(10)で風力を得ることができて、同一方向からの風流には、自動車の１０気筒エンジンのように、スムースで、かつ連続した風力による、安定した回転力を得ることができる。    
【００６４】
この実施例２において、羽根(10)は５段に配設されているが、縦主軸(5)を２段重ねにした状態で、羽根(10)を１０段配設にすることができる。
また、縦主軸(5)を短くして、羽根(10)を３段、４段などにすることができる。その場合、上下の羽根(10)の背丈を長短に変化させることができる。
【実施例３】
【００６５】
図５は、本願発明の実施例３を示す、縦軸風車の要部正面図である。前例と同じ部位には、同じ符号を付して、説明を省略する。
図５における支持枠体(4)は、中間の固定アームや筋交材などの図示が、省略されているものである。
【００６６】
この実施例３は、１っの支持枠体(4)に、複数の軸配設部(4a)が形成されて、縦主軸(5)が複数配設されたことに特徴がある。図５において、軸配設部(4a)は２っ示されているが、水平方向へ１０、２０と連続形成させることができる。
【００６７】
これによって、１っの支持枠体(4)の中に、多数の軸配設部(4a)が形成されて、それぞれに縦主軸(5)が配設されている。各縦主軸(5)に複数の羽根(10)が多段に配設されても、隣接同士の羽根(10)は、それぞれの向きが異っているので、風の通りがよく、回転時における隣同士の羽根(10)によって生じる風流の干渉が軽減される。
【００６８】
以上のように構成された、この実施例３の縦軸風車(1)は、１っの支持枠体(4)に複数の軸配設部(4a)があり、全体で１っの縦軸風車(1)である。
羽根(10)の１枚は、受風面積が小さなものであるが、１本の縦主軸(5)に、多数の羽根(10)が多段状に配設され、これが水平方向に多数配設されたものであるので、複数の羽根(10)全体としての受風面積は、大きなものとなっている。
【００６９】
その結果、各縦主軸(5)で、基台(7)内の図示しない、それぞれの発電器を回転させて、これを集電する時、全体として、大容量の発電をすることが出来る１っの風力発電機に、することができる。
【００７０】
この実施例３における羽根(10)は、図３に示す２枚羽根配設にすることができる。
また左右隣で、羽根(10)の段数を、例えば５段、４段、３段、５段のように違差させることができる。これは、例えば凹凸のある地形に設置する場合等に適している。
【実施例４】
【００７１】
図６は、本発明の実施例４を示す、縦軸風車の要部平面図である。前例と同じ部位には、同じ符号を付して説明を省略する。図における支持枠体(4)は、中間の固定アームや筋交材などの図示が、省略されている。
【００７２】
この実施例４も、１っの支持枠体(4)の中に、多数の軸配設部(4a)が、水平方向へ連続して形成されて、各軸配設部(4a)に、それぞれ縦主軸(5)が配設されているものである。
図６において、軸配設部(4a)は、左右において、複数連設されているが、図示するように、軸配設部(4a)が、左右交互に、前後に違差されて、各縦主軸(5)の配設される平面位相が、前後に違差されて配設されているものである。
【００７３】
図６において、例えばＡ矢示の風が吹いていて、各縦主軸(5)における羽根(10)がＢ矢示方向に回転しているとき、羽根(10)の風下は無風状態になる。
従って、図６の左右方向から風が吹く場合、風上の羽根(10)の直後は風を受けにくい。
【００７４】
また羽根(10)が回転すると、流体の粘性により、風（空気）の層が羽根(10)の外面に着いて回転する。従って、Ａ矢示風はＣ矢示向きとなって後方へ抜ける。その結果、図６において、Ｄ矢示の風は、Ｅ矢示の向きとなって風下の羽根(10)を回転させる。
【００７５】
図７は、縦主軸(5)の実施例２を示す要部正面図で、図８は平面図である。前例と同じ部位には同じ符号を付して、説明を省略する。
この縦主軸(5)は、縦長さを短かなものとし、これを長手方向に複数連結するように構成されたものである。
【００７６】
この縦主軸(5)の上端部には、嵌合突部(5b)が形成されている。また縦主軸(5)の下端部には、嵌合凹部(5c)が形成されている。複数の縦主軸(5)を連結するときは、嵌合突部(5b)を別体の縦主軸(5)の嵌合凹部(5c) に嵌合させ、その外部にカラー(5d)を固定する。
【００７７】
支持枠体(4)に縦主軸(5)を配設するときは、前記カラー(5d)部分に、中間軸受(66)が当たるようにして、固定アーム(3)により支持される。これによって、縦主軸(5)の連結部(5b)(5c)は、カラー(5d)と中間軸受(66)、固定アーム(3)等によって堅固に支持されて、屈折が防止される。
【００７８】
このように構成された、この縦主軸(5)は、例えば図３に示される中間軸受(66)上下間の長さに合うように設定されると、運搬、並びに縦軸風車(1)全体の組立作業が容易になる。
【００７９】
図９は、本発明縦主軸の実施例３を示す要部正面図で、図１０はその平面図である。前例と同じ部位には、同じ符号を付して、説明を省略する。
この実施例における縦主軸(5)は、連結軸(5e)が別体で形成されたものである。
【００８０】
図９において、縦主軸(5)は、長手両端部に凹型の嵌合部(5f)が形成されている。該嵌合部(5f)内に、突状の滑止部(5g)が形成されている。連結軸(5e)の両先端縁部には、溝状の滑止部(5h)が形成されている。
【００８１】
使用時においては、連結軸(5e)の下端部を、縦主軸(5)の上の嵌合部(5f)に嵌合させる。また、連結軸(5e)の上端部を、縦主軸(5)の下の嵌合部(5f)に嵌合させる。これによって、図９に示すように、複数の縦主軸(5)を上下に連結させることができる。
【００８２】
例えば、この縦主軸(5)を、図３の縦軸風車(1)に利用して、中間軸受(66)部分で、連結軸(5e)部分を支持させることによって、上下の中間軸受(66)の間に縦主軸(5)を支持させ、支持枠体(4)の縦方向に、複数の縦主軸(5)を連結させることができる。
【００８３】
連結軸(5e)は、例えば直径２ｃｍ、長さ１０〜３０ｃｍ程度。直径が細くても、短くて、中間を軸受(66)で支持されるので、屈曲し難い。また細いので、小さな軸受（ベアリング）を使用することができ、摩擦面積が小さいので、摩擦抵抗が小さく、回転効率が良い。
メンテナンスも、この連結軸(5e)だけを取替えることができる。
なを連結軸(5e)は、１端部に突状の嵌合部、他端に凹状の嵌合部を形成すると、前記図７に示す縦主軸(5)の嵌合突部、凹部と連結させることができる。
【００８４】
縦主軸(5)の直径は、例えば４ｃｍ、長さ１５０ｃｍ〜２００ｃｍ程度。必要に応じて、縦主軸(5)の表面に、補強体(5a)を被着することによって、剛性が維持できる。
縦主軸(5)の長さが短く、配設される羽根(10)は、多くても２枚なので、縦主軸(5)の直径は細くても屈曲し難く、重量も軽量にすることができる。
【００８５】
なおこの発明は、前記各実施例に限定されるものではなく、目的に沿って適宜設計変更をすることができる。例えば支持アーム(8)は、上下３本にし、あるいは筋交いを配設することができる。
【産業上の利用可能性】
【００８６】
縦主軸に発電器を連結することにより、風力発電機にすることが出来るほか、揚水、製粉、その他工業用動力に利用することができる。  
【図面の簡単な説明】
【００８７】
【図１】本発明に係る第１実施例を示す縦軸風車の要部正面図である。
【図２】本発明に係る第１実施例を示す縦軸風車の要部平面図である。
【図３】本発明に係る第２実施例を示す縦軸風車の要部正面図である。
【図４】本発明に係る第２実施例を示す縦軸風車の要部平面図である。
【図５】本発明に係る第３実施例を示す縦軸風車の要部正面図である。
【図６】本発明に係る第４実施例を示す縦軸風車の要部正面図である。
【図７】縦主軸の実施例２を示す要部正面図である。
【図８】図７における縦主軸の平面図である。
【図９】縦主軸の実施例３を示す要部正面図である。
【図１０】図９における縦主軸の平面図である。
【符号の説明】
【００８８】
(1)縦軸風車
(2)支柱
(3)固定アーム
(4)支持枠体
(4a)軸配設部
(5)縦主軸
(5a)補強体
(5b)嵌合突部
(5c)嵌合凹部
(5d)カラー
(5e)連結軸
(5f)嵌合部
(5g)(5h)滑止部
(6)軸受
(66)中間軸受
(7)基台
(8)固定体
(9)支持アーム
(10)羽根
(10a)傾斜部
【図１】
2006017011.tif 000003
【図２】
2006017011.tif 000004
【図３】
2006017011.tif 000005
【図４】
2006017011.tif 000006
【図５】
2006017011.tif 000007
【図６】
2006017011.tif 000008
【図７】
2006017011.tif 000009
【図８】
2006017011.tif 000010
【図９】
2006017011.tif 000011
【図１０】
2006017011.tif 000012
【手続補正書】
【提出日】平成16年7月6日(2004.7.6)
【手続補正１】
【補正対象書類名】特許請求の範囲
【補正対象項目名】全文
【補正方法】変更
【補正の内容】
【特許請求の範囲】
【請求項１】
支持枠体の軸配設部に配設された縦主軸の１本に、上下複数段状に縦長の羽根が配設された風車において、各段における羽根は１枚とし、その左側面を縦主軸に対面して配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されていることを特徴とする縦軸風車。
【請求項２】
前記１枚羽根の弦長は、羽根の回転半径の５０％〜６０％に相当する長さの範囲に設定されていることを特徴とする、請求項１に記載された縦軸風車。
【請求項３】
支持枠体の軸配設部に配設された縦主軸の１本に、上下複数段状に縦長の羽根が配設された風車において、各段における羽根は２枚とし、その左側面を主軸に対面して対称に配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されていることを特徴とする縦軸風車。
【請求項４】
前記羽根の弦長は、羽根の回転半径の４０％〜％５０に相当する範囲の長さであることを特徴とする請求項３に記載された縦軸風車。
【請求項５】
前記縦主軸は、長手中間を中間軸受で支持されて、上下軸受の間に羽根が配設されていることを特徴とする、請求項１〜４のいずれかに記載された縦軸風車。    
【請求項６】
前記縦主軸は、軸受けされる近傍を除いて、表面に補強体が被着されていることを特徴とする、請求項１〜５の何れかに記載された縦軸風車。
【請求項７】
複数の支柱で構成される支持枠体に、水平方向で複数の軸配設部が形成され、各軸配設部に配設された各縦主軸に、縦長の羽根が、その左側面を縦主軸に対面させて、上下複数段状に配設され１っに構成された風車であって、羽根は、上下端部に左側を向く傾斜部が形成され、羽根の平面位相は、上段部から下段部へかけて順次、等角度ずつ回転一方向へ変位されて、同一縦主軸における全体平面で、主軸回りに羽根が等間隔で配設されていることを特徴とする縦軸風車。
【請求項８】
前記支持枠体の、水平方向で複数の縦主軸が配設された風車において、隣接する縦主軸同士における、複数段状に配設される羽根は、隣同士で配設位置の段数が異なることを特徴とする、請求項７に記載された縦軸風車。    
【請求項９】
前記支持枠体に、水平方向で複数の縦主軸が配設された風車において、左右方向に複数並列される縦主軸は、左右に隣接する交互に、平面位相を前後に違差させて配設されたことを特徴とする、請求項７に記載された縦軸風車。
【請求項１０】
縦軸風車の縦主軸であって、軸受される近傍部分を除いて、縦主軸の表面に、補強体が被着一体に形成されていることを特徴とする、風車の縦主軸。
【請求項１１】
縦軸風車の縦主軸であって、上端部に嵌合突部が形成され、下端部に、嵌合凹部が形成され、別体の縦主軸の嵌合凹部に、こちらの嵌合突部を嵌合させて、上下に長く連結するように構成されたことを特徴とする、風車の縦主軸。
【請求項１２】
縦軸風車の縦主軸であって、長手両端部に嵌合部が形成され、該嵌合部に、別体の連結軸の一端部が嵌合連結され、該連結軸を介して長手方向に複数の縦主軸が連結可能に構成されたことを特徴とする、風車の縦主軸。
【手続補正２】
【補正対象書類名】明細書
【補正対象項目名】全文
【補正方法】変更
【補正の内容】
【発明の詳細な説明】
【技術分野】
【０００１】
本発明は、縦軸風車並びに縦主軸に係り、特に、風力ダムとしての支持枠体を構築して、多数の羽根を配設して受風率をたかめ、一定の設置面積における受風面積と、受風力が大きく、設置コストが低廉で、一定面積当りの発電総量の大きな風力発電機とすることが出来る縦軸風車と、これに使用される縦主軸に関する。
【背景技術】
【０００２】
従来、風力発電機の風車として、縦軸風車は風力の回収率が悪いとされて、利用されていない。これは、縦主軸の周囲に複数の羽根が配設され、縦主軸の片側方の羽根で風を受けて回転するとき、他側方にある羽根は風の抵抗を受けて、回転力が相殺されるためとされている。また１枚羽根は軸トルクが弱く実用性がないとされている。
【発明の開示】
【発明が解決しようとする課題】
【０００３】
プロペラ式風力発電機は、支柱の設置面積は小さくても、プロペラの長さが、３０ｍとか５０ｍというのも普通であり、その下の土地の使用面積は大きなものとなっている。
縦軸風車も、回転半径が大きくなれば、使用される土地面積は大きくなる。それら土地の購入費、使用料などは、発電採算上で、大きなコスト負担となる。
【０００４】
更に、大きな風力発電機の設置には、風況の良い場所が必要となり、その場所までの道路建設、設置場所での建設、発電された電力の回収等、投下資本が大きくかかり、それらの費用は、電力採算に大きく影響している。
【０００５】
この発明は、風車の設置面積当りの受風面積を飛躍的に増大させ、半面、小型軽量化で設置コストを極端に減少させることの出来る、風力発電機にも適している縦軸風車を提供することを目的としている。
【０００６】
この発明は、前記課題を解決し目的を達成するために、羽根を１本の縦主軸に、上下へ複数配設した。これを水平方向へ複数連結させた。発明の具体的な内容は次の通りである。
【０００７】
(1)  支持枠体の軸配設部に配設された縦主軸の１本に、上下複数段状に縦長の羽根が配設された風車において、各段における羽根は１枚とし、その左側面を主軸に対面して配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されている縦軸風車。  
【０００８】
(2)  前記１枚羽根の弦長は、羽根の回転半径の５０％〜６０％に相当する長さの範囲に設定されている、前記(1)に記載された縦軸風車。
【０００９】
(3)  支持枠体の軸配設部に配設された縦主軸の１本に、上下複数段状に縦長の羽根が配設された風車において、各段における羽根は２枚とし、その左側面を主軸に対面して対称に配設され、羽根は上下端部に左側を向く傾斜部が形成され、羽根の平面位相は、上段部から下段部へかけて順次、等角度ずつ回転一方向へ変位されて、全体として平面で、主軸周りに羽根が等間隔で配設されている縦軸風車。
【００１０】
(4)  前記羽根の弦長は、羽根の回転半径の４０％〜５０％に相当する長さの範囲に設定されている、前記(3)に記載された縦軸風車。
【００１１】
(5)  前記縦主軸は、長手中間を中間軸受で支持されて、上下軸受の間に羽根が配設されている、前記(1)〜(4)のいずれかに記載された縦軸風車。  
【００１２】
(6)  前記縦主軸は、軸受けされる近傍を除いて、表面に補強体が被着されている、前記(1)〜(5)の何れかに記載された縦軸風車。
【００１３】
(7)  複数の支柱で構成される支持枠体に、水平方向で複数の軸配設部が形成され、各軸配設部に配設された各縦主軸に、縦長の羽根が、その左側面を縦主軸に対面させて、上下複数段状に配設され１っに構成されている風車であって、羽根は、上下端部に左側を向く傾斜部が形成され、羽根の平面位相は、上段部から下段部へかけて順次、等角度ずつ回転一方向へ変位されて、同一主軸における全体平面で、主軸回りに羽根が等間隔で配設されている縦軸風車。
【００１４】
(8)  前記支持枠体の、水平方向で複数の縦主軸が配設された風車において、隣接する縦主軸同士における、複数段状に配設される羽根は、隣同士で配設位置の段数が異なる、前記(7)に記載された縦軸風車。    
【００１５】
(9)  前記支持枠体に、水平方向で複数の縦主軸が配設された風車において、左右方向に複数並列される縦主軸は、左右に隣接する交互に、平面位相を前後に違差させて配設された、前記(７)に記載された縦軸風車。
【００１６】
(10)  縦軸風車の縦主軸であって、軸受される近傍部分を除いて、縦主軸の表面に、補強体が被着一体に形成されている、風車の縦主軸。
【００１７】
(11)  縦軸風車の縦主軸であって、上端部に嵌合突部が形成され、下端部に、嵌合凹部が形成され、別体の縦主軸の嵌合凹部に、こちらの嵌合突部を嵌合させて、上下に長く連結するように構成された、風車の縦主軸。
【００１８】
(12)  縦軸風車の縦主軸であって、長手両端部に嵌合部が形成され、該嵌合部に、別体の連結軸の一端部が嵌合連結され、該連結軸を介して長手方向に複数の縦主軸が連結可能に構成された、風車の縦主軸。
【発明の効果】
【００１９】
本発明によると次のような効果がある。
【００２０】
(1)  請求項１に記載された発明の縦軸風車は、縦主軸１本に、縦長の羽根が、各段につき１枚で、上下複数段状に配設されているので、設置面積当りの出力は、１段における羽根の回転トルク×段数分となり、１本の縦主軸に対して大きな回転力を得ることができる。
風車の羽根は、１枚の方が回転速度が上るが、受風面積が狭く、軸トルクは出ないため、単独では実用性がないが、多段状に配設したことにより、各段において回転効率が良く、かつ、先行回転する羽根による乱気流の影響を受け難い。
各羽根の平面位相は、上段部から下段部へかけて順次、等角度ずつ回転一方向へ変位させて、全体として平面で、主軸回りに羽根が等間隔で配設されているので、風車全体としては、全方向の風を得ることが出来る。更に上下の異なった風流を得て回転力とすることができる。上下何れかの羽根に風力を得て回転するとき、他の羽根は他力による回転をして、羽根の形状（翼型）による特性から、自走揚力（回転推力）が生じるため、風抵抗を凌ぐことになる。
特に羽根の上下端部に傾斜部が形成されているので、羽根左側面に当って、抵抗の小さな上下方に逃げる風が、傾斜部で遮られ、羽根を外方へ押すことから、回転効率が高まる。これを風力発電機に利用するとき、効率の良い風力発電機とすることができる。
羽根を多段に配設することにより、羽根単体の縦長さを小さくすることができ、搬送や組立が簡便になり、羽根を多段に配設したことによって、風車の設置面積は小さくても、大型羽根を使用したこと以上の効果が得られる。
支持枠体は、複数の支柱で構成され、支柱で縦主軸全体の負荷を支持するものではないので、剪断負荷に絶えられる範囲の細い支柱を使用して、剛性のある支持枠体とすることができる。運搬や組立などの作業性とコストにも優れ、かつ風力発電機としての設置コスト、並びに発電コストを軽減することができる。また支持枠体は羽根の外に位置しているため、羽根の回転、風圧などに対しても、揺れ、振動が生じにくい。
【００２１】
(2)  請求項２に記載された発明の縦軸風車は、羽根の弦長が羽根の回転半径の５０％〜６０％相当の長さの範囲に設定されている。これは縦軸風車の縦長羽根の弦長としては大きなものであるが、この発明の構成における一枚羽根は、ここまで大きくしても、風力が弱まって来たときにも急激な失速は生じず、低速回転において強い回転トルクを得ることができる。
【００２２】
(3)  請求項３に記載された発明の縦軸風車は、縦主軸を挟んで対称に羽根２枚が配設され、これが多段に配設されているので、それぞれの段において１枚羽根よりも回転効率が下るが、回転安定性が高く、全体として回転効率の良い風車となる。その余は請求項１のものと同じである。  
【００２３】
(4)  請求項４に記載された発明の縦軸風車は、２枚羽根であるため、１枚羽根よりも弦長を狭くしなければ、回転効率が低下する。しかし、細幅では、弱風になった時に回転トルクが低下する。一方で弦長が長過ぎても風抵抗が大きいが、本発明においては、羽根の弦長を羽根の回転半径の４０％〜５０％相当の長さの範囲にまで大きくしても、効率良い回転トルクを得ることができる。
【００２４】
(5)  請求項５に記載された発明の縦軸風車は、縦主軸の中間を中間軸受で支持するので、縦主軸が長く細いものであっても、屈曲し難く、羽根の多段配設を有利に設定することができる。
【００２５】
(6)  請求項６に記載された発明の縦軸風車は、縦主軸に補強体が被着されているので、縦主軸が細く長いものでも、剛性に優れている。特に補強体をＦＲＰ成形体や軽合金型材を使用するとき、主軸を細くし、全体を軽量化することが出来るので、羽根の多段配設が負担にならず、回転効率を高めることが出来る。
【００２６】
(7)  請求項７に記載された縦軸風車は、１っの支持枠体に、水平方向で複数の軸配設部が形成され、それぞれに縦主軸が支持されている。
この支持枠体は、大きな風力ダムとして作用し、１っの支持枠体に集まる風力は、各縦主軸に上下複数段状に配設されている羽根を回転させ、その大きな力の集合体として、各縦主軸に連結される発電機を回転させて、１っの支持枠体全体で１っの風車となり、大容量の発電をする１っの風力発電機となる。
例えば１本の縦主軸に羽根が１０段で、水平方向に１０連なら、羽根の受風面積は１００個分になる。このことは、１っの支持枠体が１っの風力ダムの作用をし、風力ダムに集合された風力が、全ての縦主軸を回転させて、発電をさせる。
水平方向で複数の軸配設部が形成される支持枠体は、全体として面積が広くなり、細い支柱などの組合せで形成することが出来るので、設置コストは小さく、台風や地震に対して強い剛性が維持出来る。
風車の後方は無風状態になるので、風の強い場所に支持枠体が配設されると、発電効率はよく、かつ防風林のような役割をさせることができる。
【００２７】
(8)   請求項８に記載された発明の縦軸風車は、隣同士で羽根の配設段位が異なるので、各羽根に対する通風性に優れており、回転時における乱気流の影響が生じ難い。
特に凹凸のある地理において、複数の軸配設部を設定する場合にも、地理に適合させて縦軸風車を設置することができる。
【００２８】
(9)  請求項９に記載された発明の縦軸風車は、左右に並列する縦主軸が交互に、前後に平面位相を違差されているので、風向きに対して複数重なることによる、部分的な受風力の低下を、回避することが出来る。
すなわち東西に長く支持枠体を設定した場合、東西からの風は支持枠体の東西に抜けるので、一部の羽根に風が当りにくくなるが、上記構成なら、風通しが良好となり、風力を有効に利用することができる。        
【００２９】
(10)  請求項10に記載された発明の縦主軸は、縦主軸の表面に、軸受される近傍を除いて、補強体が被着一体に形成されているので、長い金属主軸が細くても、回転時において遠心力や風圧により、縦主軸が曲折されることがない。
補強体を使用する事によって、金属の縦主軸を細いものとすることができる。補強体に、例えばＦＲＰやアルミニウムの型材が使用されると、全体として縦主軸を軽量化することが出来る。これによって、羽根の多段配設を容易にすることができる。
【００３０】
(11)  請求項１１に記載された発明の縦主軸は、短尺の軸を縦に複数連結することが出来るため、搬送が容易で、支持枠体の組立作業性、並びに、羽根を縦に複数配設する作業性に優れている。
【００３１】
(12)  請求項１２に記載された発明の縦主軸は、短尺の縦主軸を、連結軸を介して複数連結する事が出来るので、組立の作業性、運搬の容易性などに優れている。また連結軸を細くすることによって、小型な軸受を使用することができて、摩擦面積を小さくして、回転効率を高くすることができる。
【発明を実施するための最良の形態】
【００３２】
支持枠体に配設された縦主軸の１本に、複数の羽根を上下複数段状に、かつ平面位相を均等間隔で配設する。この縦主軸を１っの支持枠体に、水平方向に複数配設して、１っの風車とする。
【実施例１】
【００３３】
本願発明の実施の形態例を、図面を参照して説明する。図１は本発明に係る実施例１の縦軸風車の要部正面図、図２は縦軸風車の羽根の平面位相を示す要部平面図である。
図における支持枠体(4)は、中間の固定アームや筋交材などの図示が、省略されているものである。支持枠体(4)の基端部は、図示しないコンクリート基盤に固定される。
【００３４】
図１において、縦軸風車(1)は、複数の支柱(2)と固定アーム(3)とで構成された、支持枠体(4)の内側に、軸配設部(4a)が形成されている。
該軸配設部(4a)に、縦主軸(5)が、上下の軸受(6)により、垂直で回転自在に支持されている。支柱(2)は、管材、Ｌ型材、Ｈ型材、コ型材、等を使用することができる。また短尺のものを複数連結するようにすることができる。
【００３５】
図１における基台(7)は箱形で、内部には、縦主軸(5)の下端部を支持する、図示しない軸受が配設されている。また基台(7)の中に、図示しない発電器を、縦主軸(5)に任意の伝動手段を介して連結配設すると、支持枠体(4)全体として風力発電機となる。
【００３６】
縦主軸(5)には、上下に複数の固定体(8)が固定されている。固定体(8)の形状は、例えば円盤状で、中央に孔が形成され、縦主軸(5)に外嵌して固定される他、左右２っ割として、縦主軸(5)の左右から左右片を押し当てて、ネジ止めするようにすることができる。
【００３７】
前記固定体(8)は、上下１組として、図１では定間隔で４段に配設されている。各１組の固定体(8)毎に、それぞれ上下１セットの支持アーム(9)が、上下平行に配設されて、その基端部は、固定体(8)にネジ止される。各上下１セットの支持アーム(9)の上下間隔は、羽根(10)の背丈によって予め決定される。
なお、支持アーム(9)が上下３本使用される時は、固定体(8)も３個１セットで使用される。
【００３８】
前記各支持アーム(9)の先端部の向きは、上段から下段にかけて、それぞれ１セット毎に異なり、図２に示すように、最上段の支持アーム(9a)は、正面方向を向いている。２段目の支持アーム(9b)は、回転一方向（Ａ矢示）へ、９０度ほど変向して配設されている。
【００３９】
３段目の支持アーム(9c)は、更に回転一方向へ９０度変向して配設され、４段目の支持アーム(9d)も、９０度ほど回転一方向へ変向して配設される。この回転一方向は、左回りでも、右回りでもかまわない。
【００４０】
これにより、最上段の支持アーム(9a)から、最下段の支持アーム(9d)までの、変向角度の合計は、９０度の４段階変更の合計で３６０度になり、図２に示すように、各支持アーム(9a)〜(9d)は、平面位相で９０度の均等間隔で配設されている。
【００４１】
図１において、各上下１セットの、各支持アーム(9a)〜(9d)の先端部には、それぞれ縦長の羽根(10)が、正面図における左側面（回転時の内側面）を縦主軸(5)に対面させて、垂直に固定されている。支持アーム(9a)〜(9d)と羽根(10)との固定方法は、羽根(10)の大きさ、重量等から、ネジ止め、接着、ＦＲＰの一体固定など、適宜選択される。
【００４２】
支持アーム(9)は、羽根(10)を支持出来る剛性があり、風抵抗にならないような形状にする。図示の支持アーム(9a)〜(9d)は、例えば板厚５ミリ程度のＦＲＰの板で形成されている。
これは、羽根(10)の重量が軽量なためである。
【００４３】
羽根(10)は、軽量を要求されるので、硬質発泡樹脂成形体を一体に成形したコアに、ＦＲＰ外層を一体成形したもの等が使用される。芯部に骨材を形成することができる。
羽根の大きさは、例えば背丈１００ｃｍ〜１８０ｃｍ、厚み４ｃｍ〜６ｃｍで、弦長は回転半径と羽根の枚数によって変化させる。１枚羽根の場合の弦長は、半径の５０〜６５％、２枚羽根の場合の弦長は、半径の３５〜５０％の範囲で設定される。
【００４４】
羽根(10)は、正面において上下端部が、左側方向へ傾斜して、傾斜部(10a)が形成されている。この傾斜角度は、４５度より大きいと風の抜けが低下する。傾斜角度が小さすぎると風の回収率が低下する。従って好ましい角度は３０度〜４５度である。
【００４５】
羽根(10)の横断面形状は、右側面（回転時の外側面）は、羽根(10)の回転トラックの曲線に沿っており、左側面は前部に膨出部が形成されている。これによって、羽根の右側面（外側面）は回転時における風抵抗が小さい。また膨出部は、羽根の外側面側より内側面側の風速を高めて揚力を生じさせるので、羽根が他の羽根に受けた風力で回転しているときに自走回転をする。
【００４６】
図１において、縦主軸(5)の背丈は、例えば７ｍで、その外面には、軸受される近傍を除いて、補強体(5a)が被着されている。該補強体(5a)は、例えばＦＲＰ成形体、アルミニウム型材の単体、あるいは組合せなどが使用される。
【００４７】
該補強体(5a)は、図１に示すように、固定体(8)をも、外から被覆するようにすることによって、支持アーム(9a)〜(9d)の固定部等の、耐候性を高めることができる。
この場合、補強体(5a)の成形体と成形体の接続部を、軟質のＦＲＰ樹脂で充填して硬化成形させて、結合させることができる。
【００４８】
以上のように構成された、この縦軸風車(1)は、羽根(10)の背丈が、例えば１ｍの小さなものであっても、例えば７ｍの縦主軸(5)に、４段状に配設されることによって、４枚羽根の縦軸風車として、広い受風面積をもち、回転すると強い軸トルクを得ることができる。
【００４９】
各段における羽根(10)は、１枚羽根なので、縦主軸(5)の同水準反対側での風抵抗がなく、回転効率が高い。そして、瞬時にして向きの変る風に対しても、各段における羽根(10)の向きが、それぞれ９０度変向しているので、自動車の４気筒エンジンのように、スムースでかつ連続した風力の付勢により、強い軸トルクを得ることができる。
【００５０】
この場合、１っの羽根に風力を受けて回転するとき、風力を抵抗として受ける他の羽根は、他力で回転しており、その場合前述した羽根の形状による揚力により、自走推力が生じて回転する。
【００５１】
また、高さが高い縦主軸(5)が使用されるので、重量低下をさせるためには、剪断荷重に耐えられる範囲で、細い軸が使用される。その結果としては、回転時における遠心力と、羽根(10)に受ける風圧とによって、細い縦主軸(5)は屈曲するが、軽量で剛性のあるＦＲＰや、アルミニウム等軽量合金の補強体(5a)が、縦主軸(5)の外面に被着一体とされることによって、縦主軸(5)が回転時に屈曲しない。またＦＲＰは軽量に成形することができるので、縦主軸(5)全体を軽量なものとすることができ、回転効率を高める。
【００５２】
この実施例１において、羽根(10)は４段に配設されているが、例えば縦主軸(5)を３段重ねの長さにした状態で、羽根(10)を１２段に配設することができる。
また、縦主軸(5)を短くして、羽根(10)を３段、６段などに配設することができる。その場合、上下の羽根(10)の背丈を、長短に変化させることができる。各段における１枚羽根は、弦長を長くする事によって、大きな軸トルクを生むことができる。
【００５３】
羽根(10)の弦長は、羽根(10)の回転半径によって変化し、例えば回転半径において、羽根(10)の弦長は羽根(10)の回転半径の約５０％〜６０％相当の長さの範囲、すなわち羽根(10)の回転半径が１ｍのとき、弦長５０ｃｍ〜６０ｃｍまでの範囲にまで大きくすることが出来る。
羽根(10)の弦長が狭い場合は、回転速度はあがるが、軸トルクは弱い。従って回転速度が出ても、弱風に変わると減退して軸トルクが著しく低下するが、前記のように弦長を大きくしておくと、弱風でも低速回転で軸トルクが大きい。
【００５４】
羽根(10)の回転に伴い、流体の粘性により、空気は羽根(10)の側面に着いて回転する。その結果、羽根(10)の回転トラック内に入る風流は、抵抗の小さな羽根の上下方向へと流れるが、羽根(10)の左側面（内側面）上下端部に、傾斜部(10a)が形成されていると、上下方向へ流れようとする気流は、傾斜部(10a)で阻まれて、羽根(10)を回転方向へ押すので、傾斜部(10a)が形成されている羽根(10)の回転効率は、傾斜部(10a)が形成されていないものに比して５％〜２０％よい。
【実施例２】
【００５５】
図３は、本願発明の実施例２を示す、縦軸風車の要部正面図、図４は要部平面図である。前例と同じ部位には、同じ符号を付して、説明を省略する。  
図における支持枠体(4)は、中間の固定アームや筋交材などの図示が、省略されているものである。
【００５６】
図３において、縦主軸(5)は、複数の中間軸受(66)で、縦の中間部が支持されている。各中間軸受(66)は、支柱(2)間に架設される、固定アーム(3)によって固定される。
これによって、縦主軸(5)は、全体として屈曲し難くなり、それだけ、金属の縦主軸(5)を剪断荷重に耐えられる範囲で細く、軽量にすることが可能になった。また、縦主軸(5)の外面には、軸受される近傍部を除いて補強体(5a)が被着されることによって、金属の縦主軸(5)をより細く、軽量化することができる。
【００５７】
図３において、上下各段の羽根(10)は、縦主軸(5)を挟んで相対するように、２枚の羽根(10)が配設されている。
羽根(10)が２枚の場合には、羽根(10)の弦長（前後幅）を、１枚羽根よりも相対的に小さくする方が、風抵抗に対して有利になる。
従って、例えば羽根(10)の回転半径が１ｍの場合、最大でその半径の４０％〜５０％相当の弦長に設定されることが好ましい。
【００５８】
各同一水準における支持アーム(9a)〜(9e)は、それぞれ同一の放射線上に設定されている。これによって、回転時に同一水準における２枚の羽根(10)は、回転バランスが良いので、風車(1)全体においても回転バランスが良くなる。
【００５９】
上下段における、支持アーム(9a)〜(9e)の平面位相は、図４に示すように、最上段の支持アーム(9a)は、左右方向を向いて配設されている。２段目の支持アーム(9b)は、回転方向（Ａ矢示）へ７２度変更した位置に配設されている。
【００６０】
３段目の支持アーム(9c)は、更に、回転方向へ７２度変向された位置に配設されている。以下４段目、５段目の支持アーム(9d)(9e)も、それぞれ７２度ずつ回転方向へ変向された位置に配設されている。
【００６１】
これによって、上から見る支持アーム(9a)〜(9e)の平面位相は、図４に示すように、回転方向へ３６度ずつ(9a)、(9d)、(9b)、(9e)、(9c)、(9a)、(9d)、(9b)、(9e)、(9c)という順に、変向した配列に設定されている。
【００６２】
以上のように構成された、この実施例２の縦軸風車(1)においては、羽根(10)の枚数が合計で１０枚になり、受風面積を大きくすることができるので、強い軸トルクを得ることができる。特に、同一設置面積における風車(1)の受風面積は、羽根(10)が１段のものに比して、５段に配設されていると５倍と、圧倒的に大きくなり、それだけ性能の良い風車となる。
【００６３】
また、図４に示すように、羽根(10)の平面位相は、回転方向へ３６度ずつ変位しているので、瞬時に向きを変化させる風に対しても、いずれかの羽根(10)で風力を得ることができて、同一方向からの風流には、自動車の１０気筒エンジンのように、スムースで、かつ連続した風力による、安定した回転力を得ることができる。    
【００６４】
この実施例２において、羽根(10)は５段に配設されているが、縦主軸(5)を２段重ねにした状態で、羽根(10)を１０段配設にすることができる。
また、縦主軸(5)を短くして、羽根(10)を３段、４段などにすることができる。その場合、上下の羽根(10)の背丈を長短に変化させることができる。
【実施例３】
【００６５】
図５は、本願発明の実施例３を示す、縦軸風車の要部正面図である。前例と同じ部位には、同じ符号を付して、説明を省略する。
図５における支持枠体(4)は、中間の固定アームや筋交材などの図示が、省略されているものである。
【００６６】
この実施例３は、１っの支持枠体(4)に、複数の軸配設部(4a)が形成されて、縦主軸(5)が複数配設されたことに特徴がある。図５において、軸配設部(4a)は２っ示されているが、水平方向へ１０、２０と連続形成させることができる。
【００６７】
これによって、１っの支持枠体(4)の中に、多数の軸配設部(4a)が形成されて、それぞれに縦主軸(5)が配設されている。各縦主軸(5)に複数の羽根(10)が多段に配設されても、隣接同士の羽根(10)は、それぞれの向きが異っているので、風の通りがよく、回転時における隣同士の羽根(10)によって生じる風流の干渉が軽減される。
【００６８】
以上のように構成された、この実施例３の縦軸風車(1)は、１っの支持枠体(4)に複数の軸配設部(4a)があり、全体で１っの縦軸風車(1)である。
羽根(10)の１枚は、受風面積が小さなものであるが、１本の縦主軸(5)に、多数の羽根(10)が多段状に配設され、これが水平方向に多数配設されたものであるので、複数の羽根(10)全体としての受風面積は、大きなものとなっている。
【００６９】
その結果、各縦主軸(5)で、基台(7)内の図示しない、それぞれの発電器を回転させて、これを集電する時、全体として、大容量の発電をすることが出来る１っの風力発電機に、することができる。
【００７０】
この実施例３における羽根(10)は、図３に示す２枚羽根配設にすることができる。
また左右隣で、羽根(10)の段数を、例えば５段、４段、３段、５段のように違差させることができる。これは、例えば凹凸のある地形に設置する場合等に適している。
【実施例４】
【００７１】
図６は、本発明の実施例４を示す、縦軸風車の要部平面図である。前例と同じ部位には、同じ符号を付して説明を省略する。図における支持枠体(4)は、中間の固定アームや筋交材などの図示が、省略されている。
【００７２】
この実施例４も、１っの支持枠体(4)の中に、多数の軸配設部(4a)が、水平方向へ連続して形成されて、各軸配設部(4a)に、それぞれ縦主軸(5)が配設されているものである。
図６において、軸配設部(4a)は、左右において、複数連設されているが、図示するように、軸配設部(4a)が、左右交互に、前後に違差されて、各縦主軸(5)の配設される平面位相が、前後に違差されて配設されているものである。
【００７３】
図６において、例えばＡ矢示の風が吹いていて、各縦主軸(5)における羽根(10)がＢ矢示方向に回転しているとき、羽根(10)の風下は無風状態になる。
従って、図６の左右方向から風が吹く場合、風上の羽根(10)の直後は風を受けにくい。
【００７４】
また羽根(10)が回転すると、流体の粘性により、風（空気）の層が羽根(10)の外面に着いて回転する。従って、Ａ矢示風はＣ矢示向きとなって後方へ抜ける。その結果、図６において、Ｄ矢示の風は、Ｅ矢示の向きとなって風下の羽根(10)を回転させる。
【００７５】
図７は、縦主軸(5)の実施例２を示す要部正面図で、図８は平面図である。前例と同じ部位には同じ符号を付して、説明を省略する。
この縦主軸(5)は、縦長さを短かなものとし、これを長手方向に複数連結するように構成されたものである。
【００７６】
この縦主軸(5)の上端部には、嵌合突部(5b)が形成されている。また縦主軸(5)の下端部には、嵌合凹部(5c)が形成されている。複数の縦主軸(5)を連結するときは、嵌合突部(5b)を別体の縦主軸(5)の嵌合凹部(5c) に嵌合させ、その外部にカラー(5d)を固定する。
【００７７】
支持枠体(4)に縦主軸(5)を配設するときは、前記カラー(5d)部分に、中間軸受(66)が当たるようにして、固定アーム(3)により支持される。これによって、縦主軸(5)の連結部(5b)(5c)は、カラー(5d)と中間軸受(66)、固定アーム(3)等によって堅固に支持されて、屈折が防止される。
【００７８】
このように構成された、この縦主軸(5)は、例えば図３に示される中間軸受(66)上下間の長さに合うように設定されると、運搬、並びに縦軸風車(1)全体の組立作業が容易になる。
【００７９】
図９は、本発明縦主軸の実施例３を示す要部正面図で、図１０はその平面図である。前例と同じ部位には、同じ符号を付して、説明を省略する。
この実施例における縦主軸(5)は、連結軸(5e)が別体で形成されたものである。
【００８０】
図９において、縦主軸(5)は、長手両端部に凹型の嵌合部(5f)が形成されている。該嵌合部(5f)内に、突状の滑止部(5g)が形成されている。連結軸(5e)の両先端縁部には、溝状の滑止部(5h)が形成されている。
【００８１】
使用時においては、連結軸(5e)の下端部を、縦主軸(5)の上の嵌合部(5f)に嵌合させる。また、連結軸(5e)の上端部を、縦主軸(5)の下の嵌合部(5f)に嵌合させる。これによって、図９に示すように、複数の縦主軸(5)を上下に連結させることができる。
【００８２】
例えば、この縦主軸(5)を、図３の縦軸風車(1)に利用して、中間軸受(66)部分で、連結軸(5e)部分を支持させることによって、上下の中間軸受(66)の間に縦主軸(5)を支持させ、支持枠体(4)の縦方向に、複数の縦主軸(5)を連結させることができる。
【００８３】
連結軸(5e)は、例えば直径２ｃｍ、長さ１０〜３０ｃｍ程度。直径が細くても、短くて、中間を軸受(66)で支持されるので、屈曲し難い。また細いので、小さな軸受（ベアリング）を使用することができ、摩擦面積が小さいので、摩擦抵抗が小さく、回転効率が良い。
メンテナンスも、この連結軸(5e)だけを取替えることができる。
なを連結軸(5e)は、１端部に突状の嵌合部、他端に凹状の嵌合部を形成すると、前記図７に示す縦主軸(5)の嵌合突部、凹部と連結させることができる。
【００８４】
縦主軸(5)の直径は、例えば４ｃｍ、長さ１５０ｃｍ〜２００ｃｍ程度。必要に応じて、縦主軸(5)の表面に、補強体(5a)を被着することによって、剛性が維持できる。
縦主軸(5)の長さが短く、配設される羽根(10)は、多くても２枚なので、縦主軸(5)の直径は細くても屈曲し難く、重量も軽量にすることができる。
【００８５】
本発明は、前記したように、羽根(10)の弦長が大きい事に特徴がある。従来の風車に関する定説は、縦軸風車において、直状垂直羽根は同じ受風面積では、アスベクト比（羽根の縦長と弦長の比）が大きな羽根が、パワー係数が大きいとされて、細く長くということが理想とされた。従って、アスベクト比が小さいと翼端失速が生じるとされている。
【００８６】
これは、回転時における羽根(10)の正面において、弦長が長いと、それだけ奥行きが長くなり、結果として、左右幅が広がり、正面において風が上下方向へ滑り、羽根が外反りになって風が逃げるためである。
【００８７】
しかし、本発明の羽根(10)においては、アスベクト比は３．５〜５と、著しく小さなものとなっている。このような、常識に反する構成で風車の性能があがるのか、という点には、綿密な実験の繰返しにより、この羽根(10)においては、羽根(10)の上下端部に傾斜部(10a)が形成されていることにより、単純な直状垂直羽根とは異なる小さなアスベクト比でも、理想的な回転値が得られることが確認された。
【００８８】
すなわち、回転する羽根(10)の左側面（回転時の内側面）に当る風は、流体の粘性によって、回転する羽根(10)に着いて回り、羽根(10)の左側面に沿って羽根(10)の上下方向へ逃げる。この上下に逃げる風が、羽根(10)の上下部に形成されている傾斜部(10a)で抑制されることから、その風力により、羽根(10)は外側へ押されて強い回転力が得られる。
【００８９】
その結果、羽根(10)の弦長の大きさによる受風面積の増加と、傾斜部(10a)による風力の効率良い利用の相乗効果により、常識では考えられない小さなアスベクト比の羽根２枚で、大きなパワー係数を得ることができた。
同じ羽根(10)の弦長で、１枚羽根の風車の場合は、２枚羽根のものに対して、回転数は２０％〜３０％も増加する。当然に回転速度があがることで、パワー係数もあげることができる。
【００９０】
１っの縦主軸(5)に対する１枚羽根の風車は、回転効率はよいが、回転バランスが取りにくく振動が大きい。その点で、１本の縦主軸(5)に１枚羽根(10)を多段に配し、上から下へかけて順次羽根(10)の平面位相を定角度づつ変位させ、全体平面で等角度に羽根(10)が配列されるとき、縦主軸(5)における回転バランスは良好となる。
また多段の羽根(10)の位相が、順次変化していることによって、受風を短時連続させることができて、安定した加力の継続を得ることができるようになった。
【００９１】
また多段羽根の場合、パワー係数は段数倍ではなく、それを越えることが確認された。すなわち、例えば４段羽根の揚力は、１段羽根の揚力の４倍は生じるが、羽根(10)にかかる抗力負担は、段数分の１に逓減してくるため、その分、回転効率が高くなり、羽根(10)の回転周速が早くなり、パワー係数も高くなるためである。 
【００９２】
このように、この発明は、羽根の上下端部に傾斜部(10a)を形成したことによって、羽根(10)の弦長を大きくし、受風面積を大きくすることが出来た。
この羽根(10)を、１本の縦主軸(5)に多段に配設し、同一水準段における羽根(10)の枚数を少なくし、平面で羽根(10)を均等配分にすることによって、抗力負担を軽くし、短時連続受風により、安定した加力の継続を招いて、羽根の回転周速を早くすることが出来た。これによって、全方向からの風力を利用した風力発電機を低コストで構築することができる。
【００９３】
なおこの発明は、前記各実施例に限定されるものではなく、目的に沿って適宜設計変更をすることができる。例えば支持アーム(8)は、上下３本にし、あるいは筋交いを配設することができる。
【産業上の利用可能性】
【００９４】
縦主軸に発電器を連結することにより、風力発電機にすることが出来るほか、揚水、製粉、その他工業用動力に利用することができる。  
【図面の簡単な説明】
【００９５】
【図１】本発明に係る第１実施例を示す縦軸風車の要部正面図である。
【図２】本発明に係る第１実施例を示す縦軸風車の要部平面図である。
【図３】本発明に係る第２実施例を示す縦軸風車の要部正面図である。
【図４】本発明に係る第２実施例を示す縦軸風車の要部平面図である。
【図５】本発明に係る第３実施例を示す縦軸風車の要部正面図である。
【図６】本発明に係る第４実施例を示す縦軸風車の要部正面図である。
【図７】縦主軸の実施例２を示す要部正面図である。
【図８】図７における縦主軸の平面図である。
【図９】縦主軸の実施例３を示す要部正面図である。
【図１０】図９における縦主軸の平面図である。
【符号の説明】
【００９６】
(1)縦軸風車
(2)支柱
(3)固定アーム
(4)支持枠体
(4a)軸配設部
(5)縦主軸
(5a)補強体
(5b)嵌合突部
(5c)嵌合凹部
(5d)カラー
(5e)連結軸
(5f)嵌合部
(5g)(5h)滑止部
(6)軸受
(66)中間軸受
(7)基台
(8)固定体
(9)支持アーム
(10)羽根
(10a)傾斜部